(57)【要約】【課題】パーソナルコンピュータ等のハードウエアの改造が必要であった。【解決手段】第１の混合器５１４と出力端子５１９との間にディジタル信号処理手段を設けた受信系と、送信信号の入力端子５２４に接続されたディジタル変調処理手段５２５の出力信号が供給される第２の混合器５２７とを有した送信系とを共に同一のカード型のケース内に実装し、出力端子５１９と第１のデータ入力端子５２１と送信信号の入力端子５２４とをケースの一方の横側面に設け、この横側面に対向する他方の横側面には信号入出力端子５１１を設け、この信号入出力端子５１１の近傍には前記第１の混合器５１４を配置したカード型電子チューナであり、これによりパーソナルコンピュータ等のハードウエアの改造を必要としないで、ディジタル変調されたデータを受信してパーソナルコンピュータ等へ取り込むことができる。【選択図】　図１６
2004007629.tif 000002
【特許請求の範囲】
【請求項１】
高周波信号が入力される信号入出力端子と、この信号入力端子の出力が一方の入力に供給されるとともに他方の入力には局部発振器の出力が供給される第１の混合器と、この第１の混合器の出力信号が供給される出力端子と、前記局部発振器の出力が一方の入力に接続されるとともにその出力は前記局部発振器の入力に接続されるのＰＬＬ回路と、このＰＬＬ回路にデータ信号が供給されるデータ入力端子と、前記第１の混合器と前記出力端子との間に抽出手段あるいはＡ／Ｄ変換器の少なくとも一つを有するディジタル信号処理手段とを設けた受信系と、送信信号の入力端子と、この送信信号の入力端子に接続されたディジタル変調処理手段と、このディジタル変調処理手段の出力信号が供給される第２の混合器と、この第２の混合器の出力信号が供給される高周波増幅回路と、この高周波増幅回路の出力が供給される送信信号の出力端子とを有した送信系と前記受信系とを共に凸部を有した同一のカード型のケース内に実装し、前記出力端子と前記第１のデータ入力端子と前記送信信号の入力端子とを前記ケースの一方の横側面に設け、この横側面に対向する他方の横側面には前記高周波信号が入力されるとともに前記送信信号が出力される信号入出力端子を設け、この信号入出力端子に接続されて前記高周波信号を前記信号入力端子に供給すると共に、前記送信系の送信信号の出力端子と接続されて前記送信信号を前記信号入出力端子へ供給するデュプレクサを設け、前記信号入出力端子の近傍には前記第１の混合器を配置したカード型電子チューナ。
【請求項２】
送信系と受信系との間は高周波的に分離された請求項１に記載のカード型電子チューナ。
【請求項３】
ケース内に実装されたプリント基板の一方の縦側面近傍に送信系を配置するとともに、この縦側面に対向する他方の縦側面近傍に受信系を配置した請求項２に記載のカード型電子チューナ。
【請求項４】
送信系と受信系との間に設けられた金属製の仕切り板で高周波的に分離された請求項３に記載のカード型電子チューナ。
【請求項５】
ケースの一方の横側面には電源入力端子を有し、この電源入力端子とＰＬＬ回路との間にはＤＣ−ＤＣコンバータが挿入された請求項１に記載のカード型電子チューナ。
【請求項６】
ケース内に実装された両面プリント基板あるいは多層プリント基板の一方の面にＰＬＬ回路を設けるとともに他方の面にディジタル処理手段を設けた請求項１記載のカード型電子チューナ。
【請求項７】
ケース内にＰＬＬ回路が設けられた第１のプリント基板と、ディジタル処理手段が設けられた第２のプリント基板が収納された請求項１記載のカード型電子チューナ。
【発明の詳細な説明】
【０００１】
【発明の属する技術分野】
本発明は、パーソナルコンピュータ等に使用されるメモリーカード等のスロットを利用して、パーソナルコンピュータ等でディジタル放送の受信やディジタル通信をするカード型電子チューナに関するものである。
【０００２】
【従来の技術】
以下、従来のカード型電子チューナを図面に基づいて説明する。図２２に示すように従来のカード型電子チューナは、高周波信号が入力される信号入力端子１と、この信号入力端子１の信号が一方の入力に供給されるとともに他方の入力には局部発振器２の出力が接続された混合器３と、この混合器３の出力が接続されるアナログ復調器４と、このアナログ復調器４の出力が接続される出力端子５と、前記局部発振器２の出力が一方の入力に接続されるとともにその出力は前記局部発振器２の入力に接続されるＰＬＬ回路６と、このＰＬＬ回路６にデータ信号が供給されるデータ入力端子７とを有していた。そして、これらの回路をカード型のケース８に実装し、前記高周波信号の信号入力端子１と前記出力端子５と前記データ入力端子７とを前記ケース８の一方の横側面に設けた構成となっていた。
【０００３】
以上のように構成されたカード型電子チューナをパーソナルコンピュータ等に挿入して、パーソナルコンピュータでディジタル処理の業務を遂行するとともに、このカード型電子チューナに切り換えてテレビジョン番組などを鑑賞していた。
【０００４】
なお、この出願の発明に関連する先行技術文献情報としては、例えば、特許文献１が知られている。
【０００５】
【特許文献１】
特開平５−１４１３３号公報
【０００６】
【発明が解決しようとする課題】
しかしながら、このような従来の構成では、復調器４がアナログ放送専用であるため、近年のディジタル変調された放送や通信（以下放送等という）を受信して復調することはできなかった。一方、マルチメディア時代をむかえディジタル変調された放送・情報通信によりその垣根がなくなりつつある。その結果一つの端末、例えばパーソナルコンピュータ等でのディジタル信号による多面的情報処理を行うべく、どうしてもディジタル変調された放送等を受信したいという要求が強くなってきている。また、このときそれに伴うパーソナルコンピュータ等の改造はできるだけ少ないことが望ましい。
【０００７】
そこで、この発明は、ディジタル変調された放送等が受信できるとともに、それに伴うハードウエアの改造を必要としないカード型電子チューナを提供することを目的としたものである。
【０００８】
【課題を解決するための手段】
この目的を達成するために本発明のカード型電子チューナは、高周波信号が入力される信号入出力端子と、この信号入力端子の出力が一方の入力に供給されるとともに他方の入力には局部発振器の出力が供給される第１の混合器と、この第１の混合器の出力信号が供給される出力端子と、前記局部発振器の出力が一方の入力に接続されるとともにその出力は前記局部発振器の入力に接続されるＰＬＬ回路と、このＰＬＬ回路にデータ信号が供給されるデータ入力端子と、前記第１の混合器と前記出力端子との間に抽出手段あるいはＡ／Ｄ変換器の少なくとも一つを有するディジタル信号処理手段とを設けた受信系と、送信信号の入力端子と、この送信信号の入力端子に接続されたディジタル変調処理手段と、このディジタル変調処理手段の出力信号が供給される第２の混合器と、この第２の混合器の出力信号が供給される高周波増幅回路と、この高周波増幅回路の出力が供給される送信信号の出力端子とを有した送信系と前記受信系とを共に凸部を有した同一のカード型のケース内に実装し、前記出力端子と前記第１のデータ入力端子と前記送信信号の入力端子とを前記ケースの一方の横側面に設け、この横側面に対向する他方の横側面には前記高周波信号が入力されるとともに前記送信信号が出力される信号入出力端子を設け、この信号入出力端子に接続されて前記高周波信号を前記信号入力端子に供給すると共に、前記送信系の送信信号の出力端子と接続されて前記送信信号を前記信号入出力端子へ供給するデュプレクサを設け、前記信号入出力端子の近傍には前記第１の混合器を配置したものである。
【０００９】
この構成により、ディジタル変調された放送等をそのまま受信してパーソナルコンピュータ等へそのデータを取り込むことができるとともに、パーソナルコンピュータ等のハードウエアの改造を必要としない。
【００１０】
【発明の実施の形態】
本発明の請求項１に記載の発明は、高周波信号が入力される信号入出力端子と、この信号入力端子の出力が一方の入力に供給されるとともに他方の入力には局部発振器の出力が供給される第１の混合器と、この第１の混合器の出力信号が供給される出力端子と、前記局部発振器の出力が一方の入力に接続されるとともにその出力は前記局部発振器の入力に接続されるＰＬＬ回路と、このＰＬＬ回路にデータ信号が供給されるデータ入力端子と、前記第１の混合器と前記出力端子との間に抽出手段あるいはＡ／Ｄ変換器の少なくとも一つを有するディジタル信号処理手段とを設けた受信系と、送信信号の入力端子と、この送信信号の入力端子に接続されたディジタル変調処理手段と、このディジタル変調処理手段の出力信号が供給される第２の混合器と、この第２の混合器の出力信号が供給される高周波増幅回路と、この高周波増幅回路の出力が供給される送信信号の出力端子とを有した送信系と前記受信系とを共に凸部を有した同一のカード型のケース内に実装し、前記出力端子と前記第１のデータ入力端子と前記送信信号の入力端子とを前記ケースの一方の横側面に設け、この横側面に対向する他方の横側面には前記高周波信号が入力されるとともに前記送信信号が出力される信号入出力端子を設け、この信号入出力端子に接続されて前記高周波信号を前記信号入力端子に供給すると共に、前記送信系の送信信号の出力端子と接続されて前記送信信号を前記信号入出力端子へ供給するデュプレクサを設け、前記信号入出力端子の近傍には前記第１の混合器を配置したカード型電子チューナであり、これにより混合器と出力端子との間に抽出手段あるいはＡ／Ｄ変換器の少なくとも一つを有するディジタル信号処理手段を設けているので、ディジタル変調された放送等をそのまま受信してパーソナルコンピュータ等へそのデータを取り込むことができ、パーソナルコンピュータ等のハードウエアの改造を必要としない。
【００１１】
また、このカード型電子チューナの外形はカード型のケースとなっているので、メモリーカードのスロットをそのまま使用することができ、パーソナルコンピュータ等のハードウエアを改造する必要はない。
【００１２】
そして、受信したデータを加工・編集でき、パーソナルコンピュータへ新たに入力する必要は無く、データを容易に作成することができる。
【００１３】
さらに、入力端子の近傍に混合器を配置しているので、信号入力端子から出力端子までの回路を短い距離で効率良く配置することができる。
【００１４】
さらにまた、カード型のケースには凸部を有しているので、送信部などの回路増加へも容易に対応が可能である。
【００１５】
本発明の請求項２に記載の発明は、送信系と受信系との間は高周波的に分離された請求項１に記載のカード型電子チューナであり、これにより送信系と受信系との間での妨害の発生を防止することが出来る。
【００１６】
本発明の請求項３に記載の発明は、ケース内に実装されたプリント基板の一方の縦側面近傍に送信系を配置するとともに、この縦側面に対向する他方の縦側面近傍に受信系を配置した請求項２に記載のカード型電子チューナであり、これにより高周波的に絶縁しやすくなる。
【００１７】
本発明の請求項４に記載の発明は、送信系と受信系との間に設けられた金属製の仕切り板で高周波的に分離された請求項３に記載のカード型電子チューナであり、これにより高周波的に絶縁しやすくなる。従って送信系と受信系との間で発生する妨害などを防止することができる。
【００１８】
本発明の請求項５に記載の発明は、ケースの一方の横側面には電源入力端子を有し、この電源入力端子とＰＬＬ回路との間にはＤＣ−ＤＣコンバータが挿入された請求項１に記載のカード型電子チューナであり、これによりＤＣ−ＤＣコンバータを内蔵しているので、パーソナルコンピュータ側でカード型電子チューナへ供給するための電源を準備する必要はない。従って、パーソナルコンピュータ等のハードウエアの改造を必要としない。
【００１９】
本発明の請求項６に記載の発明は、ケース内に実装された両面プリント基板あるいは多層プリント基板の一方の面にＰＬＬ回路を設けるとともに他方の面にディジタル処理手段を設けた請求項１記載のカード型電子チューナであり、これにより送信系などの回路をカード型のケース内に収納することが出来る。
【００２０】
本発明の請求項７に記載の発明は、ケース内にＰＬＬ回路が設けられた第１のプリント基板と、ディジタル処理手段が設けられた第２のプリント基板が収納された請求項１記載のカード型電子チューナであり、これにより第２のプリント基板の交換によって容易に仕向地の変更や、復調方式の変更等に容易に対応することが出来る。
【００２１】
以下、本発明の実施に形態について図面を参照しながら説明する。
【００２２】
（実施の形態１）
図４は本発明の実施の形態におけるブロック図である。図４において、本発明のカード型電子チューナの電気回路は、高周波信号が入力される信号入力端子１１１と、この信号入力端子１１１の信号が一方の入力に供給されるとともに他方の入力には局部発振器１１２の出力が接続される混合器１１３と、この混合器１１３の出力が接続されるディジタル信号の抽出手段１１４と、この抽出手段１１４の出力が接続されるローパスフィルタ（図示せず）と、このローパスフィルタに接続されるアナログ回路使用の復調器１１５と、この復調器１１５の出力に接続される誤り訂正回路１１６と、この誤り訂正回路１１６の出力が接続される出力端子１１７と、前記局部発振器１１２の出力が一方の入力に接続されるとともにその出力は前記局部発振器１１２の入力に接続されるＰＬＬ回路１１８と、このＰＬＬ回路１１８にデータ信号が供給されるデータ入力端子１１９と、電源入力端子１２０と、この電源入力端子１２０と前記ＰＬＬ回路１１８との間に設けられたＤＣ−ＤＣコンバータ１２１を有している。
【００２３】
以上のように構成されたカード型電子チューナについて以下にその動作を説明する。
【００２４】
信号入力端子１１１に入力された高周波信号は、混合器１１３と局部発振器１１２とで選局されて中間周波数になる。この中間周波数は、ディジタル信号の抽出手段１１４とローパスフィルタと復調器１１５でディジタル処理可能な信号形態に復調される。すなわち、ディジタル変調された放送波は（数１）に示すような例えば余弦波（以下余弦波を用いた場合について説明する）で表される。ここで、情報「０」を位相差０とすれば、情報「１」は「０」に比べて１８０度位相が遅れたものになる。位相が１８０度遅れるということは、（数２）に示すように位相差０の余弦波に負の符号を付けたものになる。すなわち、「０」と「１」は（数３）に示すように余弦波に正と負の符号を付けたものとして表すことができる。
【００２５】
【数１】
2004007629.tif 000003
【００２６】
【数２】
2004007629.tif 000004
【００２７】
【数３】
2004007629.tif 000005
【００２８】
更に情報量を増すためには、別の情報「０」「１」について、位相差を９０度、２７０度に割りつけることもできる。便宜上位相差０度、１８０度をＩ信号とし、９０度、２７０度をＱ信号としている。それらの座標軸は、その位相差により互いに直交軸をなす。以降の復調については、Ｉ軸上と仮定して説明する。
【００２９】
このようにディジタル変調された信号がカード型電子チューナに入力されると、（数４）に示すように、入力された信号に抽出手段１１４で、この入力された信号と同じ周波数の余弦波を乗算することにより、定数項と基の周波数の２倍の周波数を有する余弦波となる。ここで、次のローパスフィルタを通すことにより、この２倍の周波数を取り除き定数項を得る。この定数項が結局復調信号である。
【００３０】
【数４】
2004007629.tif 000006
【００３１】
しかしながら、ここで入力された余弦波と抽出手段１１４で生成された余弦波との間には多少の周波数のズレや位相のズレが生ずる。そこで、次の復調器１１５ではアナログ的な共振回路により、余弦波の基本周波数を抽出し、この信号を抽出手段１１４にフィードバックし、生成される余弦波を正しく補正している。このように、本実施の形態では、復調器１１５に従来から使用しているアナログ回路を使用することができるので低価格化が図れる。また図１１に示すように抽出手段１１４には、アナログの局部発振器を用いるので、高い中間周波数（広帯域信号）を入力できる。しかし、フィードバックループの応答速度に限界があるので、それを越えると同期がとれずに誤り率が増える。また、Ｑ信号も有する場合は、Ｉ信号、Ｑ信号に分離した後、また最終的には合成したりするので、Ｉ軸Ｑ軸の直交精度の悪化による誤り率が増えることも避けられない。したがって、伝送速度が遅くても実用可能な比較的伝送量が小容量（例えば５Ｋｂｐｓ程度）のものに向いている。この場合の応用製品としてディジタル携帯電話等がある。
【００３２】
このようにして復調された信号はその後、誤り訂正回路１１６で誤り訂正がなされる。この誤り訂正された信号は出力端子１１７からパーソナルコンピュータに向かって出力され、パーソナルコンピュータ内でディジタル処理がなされる。
【００３３】
次に、これらの回路は、図７に示すように予め定められた外形寸法を有するケース１２２に実装されている。このケース１２２はパーソナルコンピュータに挿入されるメモリーカードと同一の外形寸法になっている。例えば縦寸法１２３は８５．６ｍｍ、横寸法１２４は５４．０ｍｍとなっている。また、高さ寸法１２５には３種類あり、その寸法は３．３ｍｍと、５．０ｍｍと、１０．５ｍｍである。ここで高さ寸法が１０．５ｍｍの場合には、横寸法が８５．６ｍｍから最大１３５．６ｍｍとなる。また前記以外の外形寸法が定められる可能性もある。また、このケース１２２の外表面は絶縁性のある合成樹脂であり、その内部は導電性を有する金属メッキとなっている。そしてこの金属メッキはアースと接続されている。なお、他の構成として金属メッキの代わりにシールドカバーや金属フレームとしてもよい。
【００３４】
このように本発明のカード型電子チューナは、メモリーカードと同一の外形寸法を有しているので、パーソナルコンピュータのメモリーカード挿入スロットへハードウエアを変更することなくそのまま挿入することができる。したがって、パーソナルコンピュータのハードウエアを変更することなくディジタル変調された放送等を受信することができる。
【００３５】
次に回路配置について、図５を用いて説明する。図５において、ケース１２２の一方の横側面１２６には出力端子１１７とデータ入力端子１１９と電源入力端子１２０とが設けられている。そしてこれらの端子では、ケース１２２をメモリーカード挿入スロットへ挿入したとき、このスロットの奥に設けられたコネクタに嵌合し、パーソナルコンピュータとの信号のやりとりが行われる。また、この一方の横側面１２６に対向する他方の横側面１２７には信号入力端子１１１が設けられている。そしてこの信号入力端子１１１にはロッドアンテナ１２８が装着されている。この信号入力端子１１１のロッドアンテナの代わりにケーブルで外部アンテナに接続してもよい。
【００３６】
このように、信号入力端子１１１がカード型電子チューナのケース１２２の背面にあるので、高周波信号を直接この信号入力端子１１１に接続することができる。したがって、パーソナルコンピュータの内部に高周波信号を改めて導入する必要はない。すなわち、パーソナルコンピュータにアンテナ追加をする等のハードウエアを変更することなく、ディジタル変調された放送等をパーソナルコンピュータで受信することができる。
【００３７】
また、ケース１２２の内部にはプリント基板１２９が装着されて、このプリント基板１２９は以下のように回路が配置されている。ここで、信号入力端子１１１側近傍に内部アンテナ１３０を設けてもよい。更に、この信号入力端子１１１近傍に混合器１１３が配置され、その近傍に局部発振器１１２が設けられている。また、電源入力端子１２０の近傍にはＤＣ−ＤＣコンバータ１２１が金属製（この他に樹脂メッキ等導電性を有するものであれば他の材料でも良い。以下同じ）の仕切板１３１で区画されて実装されている。そして、データ入力端子１１９の近傍にはＰＬＬ回路１１８が金属製の仕切板１３２で区画されて実装されている。更に出力端子１１７の近傍には金属製の仕切板１３３で区画された誤り訂正回路１１６と、この誤り訂正回路１１６の区画の隣に金属製の仕切板１３４で区画された復調器１１５と、この復調器１１５の隣に金属製の仕切板１３５で区画された抽出手段１１４が実装されている。
【００３８】
即ち、ＰＬＬ回路１１８はケース１２２の一方の縦側面１３６の近傍に位置し、抽出手段１１４と、復調器１１５と、誤り訂正回路１１６で構成されるディジタル信号処理手段１３７はケース１２２の他方の縦側面１３８の近傍に位置することになり、ＰＬＬ回路１１８とディジタル信号処理手段１３７の距離は離れている。
【００３９】
このように、ディジタル変調された放送等を受信するカード型電子チューナにおいては、ＰＬＬ回路１１８の影響をディジタル信号処理手段１３７に与えないようにすることが重要である。若し、ディジタル信号処理手段１３７をＰＬＬ回路１１８の近くに配置すると、ＰＬＬ回路１１８のクロックパルスの影響で正常なディジタル処理ができなくなってしまう。
【００４０】
また、他の回路配置について、図６を用いて説明する。図６において、ケース１３８（ケース１３８はケース１２２と同一の外形寸法である。）の一方の横側面１３９には出力端子１１７とデータ入力端子１１９と電源入力端子１２０とが設けられている。また、信号入力端子１１１もこの横側面１３９側に設けられている（図示せず）。なお、この信号入力端子１１１は、横側面１３９近傍の一方の縦側面１４０に設けてもよい。
【００４１】
したがって、この場合には、パーソナルコンピュータに既に高周波信号が入力されている場合に該当する。
【００４２】
また、ケース１３８の内部にはプリント基板１４１が装着されており、このプリント基板１４１は以下のように回路が配置されている。ここで、信号入力端子１１１側近傍に内部アンテナ１３０が設けられている。なお、この内部アンテナ１３０は信号入力端子１１１に高周波信号が入力されている場合には不要となる。次に、電源入力端子１２０の近傍にはＤＣ−ＤＣコンバータ１２１が金属製の仕切板１４２で区画されて実装されている。そして、データ入力端子１１９の近傍にはＰＬＬ回路１１８が金属製の仕切板１４３で区画されて実装されている。更に出力端子１１７の近傍には金属製の仕切板１４４で区画された誤り訂正回路１１６と、この誤り訂正回路１１６の区画の隣に金属製の仕切板１４５で区画された復調器１１５と、この復調器１１５の隣に金属製の仕切板１４６で区画された抽出手段１１４が実装されている。
【００４３】
即ち、この場合においても、ＰＬＬ回路１１８はケース１３８の一方の縦側面１４０の近傍に位置し、抽出手段１１４と、復調器１１５と、誤り訂正回路１１６で構成されるディジタル信号処理手段１３７はケース１３８の他方の縦側面１４７の近傍に位置することになり、ＰＬＬ回路１１８とディジタル信号処理手段１３７の距離は離れている。この理由も図５の場合と同じである。
【００４４】
図５あるいは図６において何れもＰＬＬ回路１１８とディジタル信号処理手段１３７とは、金属製の仕切板（１３２と１４３あるいは１３３・１３４・１３５と１４４・１４５・１４６）で仕切られている。このように、ＰＬＬ回路１１８とディジタル信号処理手段１３７との間を金属製の仕切板で仕切ることにより、両回路の分離度は向上しディジタル信号処理手段１３７にＰＬＬ回路１１８が影響を与えることはない。また、図５、図６何れも一方の面に部品を集約し、他方の面にパターンや印刷抵抗などにすると、より薄型化を図ることができる。
【００４５】
図８はケース１４８（ケース１４８はケース１２２と同一外形寸法である。）内に多層プリント基板１４９を装着し、その一方の面にＰＬＬ回路１１８を装着するとともに他方の面にディジタル信号処理手段１３７を装着したカード型電子チューナである。ここで、１５０はコイル等の調整部品を外部から調整するための孔である。図９は多層プリント基板１４９の要部断面図である。１５１は多層プリント基板１４９の内部層であり、この内部層１５１の銅箔にはアースが接続されて、ＰＬＬ回路１１８とディジタル信号処理手段１３７とを分離している。なお、多層プリント基板１４９の代わりに両面プリント基板を使用することも可能である。なお、両面に部品を実装する場合、ケース１４８の厚みの略中心にプリント基板を実装するのが、スペースの効率上好ましい。
【００４６】
図１０はケース１５２（ケース１５２はケース１２２と同一外形寸法である。）内に２枚のプリント基板１５３と１５４とを２段に重ねて収納し、その一方のプリント基板１５３にＰＬＬ回路１１８を装着するとともに他方のプリント基板１５４にディジタル信号処理手段１３７を装着したカード型電子チューナである。ここで、１５５はコイル等の調整部品を外部から調整するための孔である。このように、２枚のプリント基板１５３と１５４とを設けて、その各々のプリント基板１５３，１５４の部品実装側を外側に向けて、ＰＬＬ回路１１８とディジタル信号処理手段１３７とを分離している。また、２枚に分けてあれば、ディジタル信号処理手段１３７のプリント基板のみの交換でディジタル信号の容量に応じた展開、仕向地別展開、他の機能オプション追加等が容易である。そして、２枚のプリント基板の間に仕切板を挿入すれば妨害を減らすことができる。
【００４７】
図１１は、抽出手段１１４の説明図である。図１１（ａ）は１軸抽出手段１１４ａであり、図１１（ｂ）は直交したＩ信号とＱ信号を抽出する２軸抽出手段１１４ｂである。前者はＦＳＫ，ＢＰＳＫ、後者はＱＰＳＫ，ＱＰＲ，ＱＡＭ等に用いられる。
【００４８】
（実施の形態２）
図１２は本発明の実施の形態２である。図１２において、本発明のカード型電子チューナの電気回路は、高周波信号が入力される信号入力端子２１１と、この信号入力端子２１１の信号が一方の入力に供給されるとともに他方の入力には局部発振器２１２の出力が接続される混合器２１３と、この混合器２１３の出力が接続されるＡ／Ｄ変換器２１４と、このＡ／Ｄ変換器２１４の出力が接続されるディジタル回路使用の復調器２１５と、この復調器２１５の出力に接続される誤り訂正回路２１６と、この誤り訂正回路２１６の出力が接続される出力端子２１７と、前記局部発振器２１２の出力が一方の入力に接続されるとともにその出力は前記局部発振器２１２の入力に接続されるＰＬＬ回路２１８と、このＰＬＬ回路２１８にデータ信号が供給されるデータ入力端子２１９と、電源入力端子２２０と、この電源入力端子２２０と前記ＰＬＬ回路２１８との間に設けられたＤＣ−ＤＣコンバータ２２１を有している。
【００４９】
以上のように構成されたカード型電子チューナについて以下にその動作を説明する。
【００５０】
信号入力端子２１１に入力された高周波信号は、混合器２１３と局部発振器２１２とで選局されて中間周波数になる。この中間周波数の情報はディジタル変調された例えば余弦波であり、以下余弦波として説明する。先ずこの余弦波がそのまま時間軸で細かく分割されて、Ａ／Ｄ変換器２１４でディジタル変換される。そして、このディジタル情報はそのまま復調器２１５内に取り込まれてディジタル的に周波数および位相情報を取り出し、クロックデータとしてＡ／Ｄ変換器２１４へフィードバックし同期検波する。また位相については復調器２１５内で同期検波することもできる。その場合Ａ／Ｄ変換器２１４は周波数のみ同期する擬似同期検波を行う。このように余弦波の情報をそのままディジタル的に処理するので、復調による位相のズレは少ない。特に、Ｉ信号Ｑ信号に分かれていないので、ＩＱ軸の直交精度が良い。よって、誤り率は低い。また、ディジタルＩＣ化の技術を用いれば回路構成も簡単であり小型化に適していると考えられる。しかし、現状では余弦波情報をそのままディジタル的に扱う高速Ａ／Ｄ変換器２１４や復調器２１５は高価なものである。また、現状ではクロック周波数が十分高いものはない。よって、低周波狭帯域の信号に限定される。狭帯域の例としては、６ＭＨｚ帯のＣＡＴＶがある。この場合、ＱＡＭ方式を用いて３０Ｍｂｐｓの伝送量がある。このようにして得られた復調信号はその後、誤り訂正回路２１６で誤り訂正がなされる。この誤り訂正された信号は出力端子２１７からパーソナルコンピュータに向かって出力され、パーソナルコンピュータ内でディジタル処理がなされる。
【００５１】
次に回路配置について、図１３を用いて説明する。図１３において、ケース２２２（ケース２２２はケース１２２と同一の外形寸法である。）の一方の横側面２２６には出力端子２１７とデータ入力端子２１９と電源入力端子２２０とが設けられている。そしてこれらの端子は、ケース２２２をメモリーカード挿入スロットへ挿入したとき、このスロットの奥に設けられたコネクタに嵌合し、パーソナルコンピュータとの信号のやりとりが行われる。また、この一方の横側面２２６に対向する他方の横側面２２７には信号入力端子２１１が設けられている。そしてこの信号入力端子２１１にはロッドアンテナ２２８が装着されている。なお、ロッドアンテナ２２８の代わりに外部アンテナを用いても良い。
【００５２】
このように、信号入力端子２１１がカード型電子チューナのケース２２２の背面にあるので、高周波信号を直接この信号入力端子２１１に接続することができる。したがって、パーソナルコンピュータの内部に高周波信号を導入する必要はない。すなわち、パーソナルコンピュータのハードウエアを変更することなく、ディジタル放送等をパーソナルコンピュータで受信することができる。
【００５３】
また、ケース２２２の内部にはプリント基板２２９が装着されて、このプリント基板２２９は以下のように回路が配置されている。ここで、信号入力端子２１１側近傍に内部アンテナ２３０を設けてもよい。更に、この信号入力端子２１１近傍に混合器２１３が配置され、その近傍に局部発振器２１２が設けられている。また、電源入力端子２２０の近傍にはＤＣ−ＤＣコンバータ２２１が金属製の仕切板２３１で区画されて実装されている。そして、データ入力端子２１９の近傍にはＰＬＬ回路２１８が金属製の仕切板２３２で区画されて実装されている。更に出力端子２１７の近傍には金属製の仕切板２３３で区画された誤り訂正回路２１６と、この誤り訂正回路２１６の区画の隣に金属製の仕切板２３４で区画された復調器２１５と、この復調器２１５の隣に金属製の仕切板２３５で区画されたＡ／Ｄ変換器２１４が実装されている。
【００５４】
即ち、ＰＬＬ回路２１８はケース２２２の一方の縦側面２３６の近傍に位置し、Ａ／Ｄ変換器２１４と、復調器２１５と、誤り訂正回路２１６で構成されるディジタル信号処理手段２３７はケース２２２の他方の縦側面２３８の近傍に位置することになり、ＰＬＬ回路２１８とディジタル信号処理手段２３７の距離は離れている。
【００５５】
このように、ディジタル放送を受信するカード型電子チューナにおいては、ＰＬＬ回路２１８の影響をディジタル信号処理手段２３７に与えないようにすることが重要である。若し、ディジタル信号処理手段２３７をＰＬＬ回路２１８の近くに配置すると、ＰＬＬ回路２１８のクロックパルスの影響で正常なディジタル処理ができなくなってしまう。
【００５６】
また、他の回路配置について、図１４を用いて説明する。図１４において、ケース２３９（ケース２３９はケース１２２と同一の外形寸法である。）の一方の横側面２４０には出力端子２１７とデータ入力端子２１９と電源入力端子２２０とが設けられている。また、信号入力端子２１１もこの横側面２４０側に設けられている（図示せず）。なお、この信号入力端子２１１は、横側面２４０近傍の一方の縦側面２４１に設けてもよい。
【００５７】
したがって、この場合には、パーソナルコンピュータに既に高周波信号が入力されている場合に該当する。
【００５８】
また、ケース２３９の内部にはプリント基板２４２が装着されており、このプリント基板２４２は以下のように回路が配置されている。ここで、信号入力端子２１１側近傍に内部アンテナ２３０が設けられている。なお、この内部アンテナ２３０は信号入力端子２１１に高周波信号が入力されている場合には不要となる。次に、電源入力端子２２０の近傍にはＤＣ−ＤＣコンバータ２２１が金属製の仕切板２４３で区画されて実装されている。そして、データ入力端子２１９の近傍にはＰＬＬ回路２１８が金属製の仕切板２４４で区画されて実装されている。更に出力端子２１７の近傍には金属製の仕切板２４５で区画された誤り訂正回路２１６と、この誤り訂正回路２１６の区画の隣に金属製の仕切板２４６で区画された復調器２１５と、この復調器２１５の隣に金属製の仕切板２４７で区画されたＡ／Ｄ変換器２１４が実装されている。
【００５９】
即ち、この場合においても、ＰＬＬ回路２１８はケース２３９の一方の縦側面２４１の近傍に位置し、Ａ／Ｄ変換器２１４と、復調器２１５と、誤り訂正回路２１６で構成されるディジタル信号処理手段２３７はケース２３９の他方の縦側面２４８の近傍に位置することになり、ＰＬＬ回路２１８とディジタル信号処理手段２３７の距離は離れている。この理由も図１３の場合と同じである。
【００６０】
図１３あるいは図１４において何れもＰＬＬ回路２１８とディジタル信号処理手段２３７とは、金属製の仕切板（２３２と２４４あるいは２３３・２３４・２３５と２４５・２４６・２４７）で仕切られている。このように、ＰＬＬ回路２１８とディジタル信号処理手段２３７との間を金属製の仕切板で仕切ることにより、両回路の分離度は向上しディジタル信号処理手段２３７にＰＬＬ回路２１８が影響を与えることはない。
【００６１】
なお、本実施の形態においても、図８、図９、図１０に開示した実装も考えられる。また、図１３、図１４何れも一方の面に部品を集約し、他方の面にパターンや印刷抵抗などにすると、より薄型化を図ることができる。
【００６２】
（実施の形態３）
図１は本発明の実施の形態３である。図１において、本発明のカード型電子チューナの電気回路は、高周波信号が入力される信号入力端子３１１と、この信号入力端子３１１の信号が一方の入力に供給されるとともに他方の入力には局部発振器３１２の出力が接続される混合器３１３と、この混合器３１３の出力が接続される抽出手段３１４と、この抽出手段３１４の出力が接続されるローパスフィルタ（図示せず）と、このローパスフィルタの出力が接続されるＡ／Ｄ変換器３１５と、このＡ／Ｄ変換器３１５の出力が接続されるディジタル回路使用の復調器３１６と、この復調器３１６の出力に接続される誤り訂正回路３１７と、この誤り訂正回路３１７の出力が接続される出力端子３１８と、前記局部発振器３１２の出力が一方の入力に接続されるとともにその出力は前記局部発振器３１２の入力に接続されるＰＬＬ回路３１９と、このＰＬＬ回路３１９にデータ信号が供給されるデータ入力端子３２０と、電源入力端子３２１と、この電源入力端子３２１と前記ＰＬＬ回路３１９との間に設けられたＤＣ−ＤＣコンバータ３２２を有している。
【００６３】
以上のように構成されたカード型電子チューナについて以下にその動作を説明する。
【００６４】
信号入力端子３１１に入力された高周波信号は、混合器３１３と局部発振器３１２とで選局されて中間周波数になる。この中間周波数は実施の形態１で述べたように、抽出手段３１４で入力されたディジタル変調波にこの変調波と略等しい例えば余弦波を乗算して、定数項として抽出される情報を抽出する。そして、このとき同時に現れる２倍の周波数については、次に挿入されているローパスフィルタで除去される。しかしながら、変調波と抽出手段３１４内で生成する余弦波とでは若干の周波数ズレや位相ズレが生ずる。この若干のズレに起因する情報は次のＡ／Ｄ変換器３１５とディジタル回路の復調器３１６で復調する。したがって、抽出手段３１４は実施の形態１に示したようにアナログの局部発振器を用いているので高い中間周波数（即ち広帯域の信号）を入力できるという特徴を有する。抽出手段３１４に実施の形態１に示したようなフィードバックを要しないとき、局部発振器３１２は固定のときもある。一方、フィードバックをかければ誤り率は少なくなる。また、Ａ／Ｄ変換器３１５やディジタル回路を使用した復調器３１６は、抽出手段３１４で生ずる若干の周波数および位相のズレによる復調を補うのみで良いので、その処理速度は高速である必要はなく、低価格の復調器が実現できる。このようにして得られた復調信号は、その後、誤り訂正回路３１７で誤り訂正がなされる。この誤り訂正された信号は出力端子３１８からパーソナルコンピュータに向かって出力され、パーソナルコンピュータ内でディジタル処理がなされる。よって、現段階では最も高い周波数（即ち広帯域、例えば衛星放送では２０ＭＨｚ）が許容され、伝送量もＱＰＳＫで４０Ｍｂｐｓと大容量が得られる。
【００６５】
次に回路配置について、図２を用いて説明する。図２において、ケース３２３（ケース３２３はケース１２２と同一の外形寸法である。）の一方の横側面３２６には出力端子３１８とデータ入力端子３２０と電源入力端子３２１とが設けられている。そしてこれらの端子は、ケース３２３をメモリーカード挿入スロットへ挿入したとき、このスロットの奥に設けられたコネクタに嵌合し、パーソナルコンピュータとの信号のやりとりが行われる。また、この一方の横側面３２６に対向する他方の横側面３２７には信号入力端子３１１が設けられている。そしてこの信号入力端子３１１にはロッドアンテナ３２８が装着されている。また、信号入力端子３１１に外部アンテナをケーブル接続しても良い。
【００６６】
このように、信号入力端子３１１がカード型電子チューナのケース３２３の背面にあるので、高周波信号を直接この信号入力端子３１１に接続することができる。したがって、パーソナルコンピュータの内部に高周波信号を導入する必要はない。すなわち、パーソナルコンピュータのハードウエアを変更することなく、ディジタル放送等をパーソナルコンピュータで受信することができる。また、ケース３２３の内部にはプリント基板３２９が装着されて、このプリント基板３２９は以下のように回路が配置されている。ここで、信号入力端子３１１側近傍に内部アンテナ３３０を設けてもよい。更に、この信号入力端子３１１近傍に混合器３１３が配置され、その近傍に局部発振器３１２が設けられている。また、電源入力端子３２１の近傍にはＤＣ−ＤＣコンバータ３２２が金属製の仕切板３３１で区画されて実装されている。そして、データ入力端子３２０の近傍にはＰＬＬ回路３１９が金属製の仕切板３３２で区画されて実装されている。更に出力端子３１８の近傍には金属製の仕切板３３３で区画された誤り訂正回路３１７と、この誤り訂正回路３１７の区画の隣に金属製の仕切板３３４で区画された復調器３１６と、この復調器３１６の隣に金属製の仕切板３３５で区画されたＡ／Ｄ変換器３１５と、このＡ／Ｄ変換器３１５の隣に金属製の仕切板３３６で区画された抽出手段３１４が実装されている。
【００６７】
即ち、ＰＬＬ回路３１９はケース３２３の一方の縦側面３３７の近傍に位置し、抽出手段３１４と、Ａ／Ｄ変換器３１５と、復調器３１６と、誤り訂正回路３１７で構成されるディジタル信号処理手段３３８はケース３２３の他方の縦側面３３９の近傍に位置することになり、ＰＬＬ回路３１９とディジタル信号処理手段３３８の距離は離れている。
【００６８】
このように、ディジタル放送等を受信するカード型電子チューナにおいては、ＰＬＬ回路３１９の影響をディジタル信号処理手段３３８に与えないようにすることが重要である。若し、ディジタル信号処理手段３３８をＰＬＬ回路３１９の近くに配置すると、ＰＬＬ回路３１９のクロックパルスの影響で正常なディジタル処理ができなくなってしまう。
【００６９】
また、他の回路配置について、図３を用いて説明する。図３において、ケース３４０（ケース３４０はケース１２２と同一の外形寸法である。）の一方の横側面３４１には出力端子３１８とデータ入力端子３２０と電源入力端子３２１とが設けられている。また、信号入力端子３１１もこの横側面３４１側に設けられている（図示せず）。なおこの信号入力端子３１１は、横側面３４１近傍の一方の縦側面３４２に設けてもよい。
【００７０】
したがって、この場合には、パーソナルコンピュータに既に高周波信号が入力されている場合に該当する。
【００７１】
また、ケース３４０の内部にはプリント基板３４３が装着されており、このプリント基板３４３は以下のように回路が配置されている。ここで、信号入力端子３１１側近傍に内部アンテナ３３０が設けられている。なお、この内部アンテナ３３０は信号入力端子３１１に高周波信号が入力されている場合には不要となる。次に、電源入力端子３２１の近傍にはＤＣ−ＤＣコンバータ３２２が金属製の仕切板３４４で区画されて実装されている。そして、データ入力端子３２０の近傍にはＰＬＬ回路３１９が金属製の仕切板３４５で区画されて実装されている。更に出力端子３１８の近傍には金属製の仕切板３４６で区画された誤り訂正回路３１７と、この誤り訂正回路３１７の区画の隣に金属製の仕切板３４７で区画された復調器３１６と、この復調器３１６の隣に金属製の仕切板３４８で区画されたＡ／Ｄ変換器３１５と、このＡ／Ｄ変換器３１５の隣に金属製の仕切板３４９で区画された抽出手段３１４が実装されている。
【００７２】
即ち、この場合においても、ＰＬＬ回路３１９はケース３４０の一方の縦側面３５０の近傍に位置し、抽出手段３１４と、Ａ／Ｄ変換器３１５と、復調器３１６と、誤り訂正回路３１７で構成されるディジタル信号処理手段３３８はケース３４０の他方の縦側面３５１の近傍に位置することになり、ＰＬＬ回路３１９とディジタル信号処理手段３３８の距離は離れている。この理由も図２の場合と同じである。
【００７３】
図２あるいは図３において何れもＰＬＬ回路３１９とディジタル信号処理手段３３８とは、金属製の仕切板（３３２と３４５あるいは３３３・３３４・３３５・３３６と３４６・３４７・３４８・３４９）で仕切られている。このように、ＰＬＬ回路３１９とディジタル信号処理手段３３８との間を金属製の仕切板で仕切ることにより、両回路の分離度は向上しディジタル信号処理手段３３８にＰＬＬ回路３１９が影響を与えることはない。
【００７４】
なお、本実施の形態においても、図８、図９、図１０に開示した実装も考えられる。また、図２、図３何れも一方の面に部品を集約し、他方の面にパターンや印刷抵抗などにすると、より薄型化を図ることができる。
【００７５】
（実施の形態４）
図１５は本発明の実施の形態４である。図１５において、本発明のカード型電子チューナの電気回路は、高周波信号が入力される信号入力端子４１１と、この信号入力端子４１１の信号が一方の入力に供給されるとともに他方の入力には第１の局部発振器４１２の出力が接続される第１の混合器４１３と、この第１の混合器４１３の出力が接続される中間周波数増幅器４１４と、この中間周波数増幅器４１４の出力が一方の入力に接続されるとともに、他方の入力には第２の局部発振器４１５の出力が接続される第２の混合器４１６と、この第２の混合器４１６の出力が接続される抽出手段４１７と、この抽出手段４１７の出力が接続されるローパスフィルタ（図示せず）と、このローパスフィルタの出力が接続されるＡ／Ｄ変換器４１８と、このＡ／Ｄ変換器４１８の出力が接続されるディジタル回路使用の復調器４１９と、この復調器４１９の出力に接続される誤り訂正回路４２０と、この誤り訂正回路４２０の出力が接続される出力端子４２１と、前記第１の局部発振器４１２の出力が一方の入力に接続されるとともにその出力は前記第１の局部発振器４１２の入力に接続されるＰＬＬ回路４２２と、このＰＬＬ回路４２２にデータ信号が供給されるデータ入力端子４２３と、電源入力端子４２４と、この電源入力端子４２４と前記ＰＬＬ回路４２２との間に設けられたＤＣ−ＤＣコンバータ４２５を有している。そしてこれらの回路は、前記実施の形態と同じくケース１２２と同一のケースに収納されている。また、部品配置に関しては、第１の混合器４１３と第１の局部発振器４１２および第２の混合器４１６と第２の局部発振器４１５との間にそれぞれ金属製の仕切板を挿入してアイソレーションを良くして、お互いに妨害を与えないように配慮することが重要である。
【００７６】
以上のように構成されたカード型電子チューナについて以下にその動作を説明する。
【００７７】
信号入力端子４１１に入力された例えば略３００ＭＨｚの高周波信号は、第１の混合器４１３と第１の局部発振器４１２とで選局されて例えば略２７ＭＨｚの第１の中間周波数になる。この中間周波数は第２の混合器４１６と第２の局部発振器４１５で再び周波数が変換されて、例えば略４５０ＫＨｚの第２の中間周波数となる。この第２の中間周波数を復調するには、実施の形態３で述べたように、抽出手段４１７で入力されたディジタル変調波にこの変調波と略等しい例えば余弦波を乗算して、定数項として抽出される情報を抽出する。そして、このとき同時に現れる２倍の周波数については、次に挿入されているローパスフィルタで除去される。しかしながら、変調波と抽出手段４１７内で生成する余弦波とでは若干の周波数ズレや位相ズレが生ずる。この若干のズレに起因する情報は次のＡ／Ｄ変換器４１８とディジタル回路の復調器４１９で復調する。そして、その後誤り訂正回路４２０で誤り訂正がなされる。この誤り訂正された信号は出力端子４２１からパーソナルコンピュータに向かって出力され、パーソナルコンピュータ内でディジタル処理がなされる。
【００７８】
このように本実施の形態においては、混合器を２個有しているのでイメージ妨害を少なくすることができる。したがって、周波数間隔の少ない高密度通信が可能となる。
【００７９】
なお、本実施の形態においても、図５、図６、図８、図９、図１０に開示した実装も考えられる。
【００８０】
（実施の形態５）
図１６は本発明の実施の形態５である。図１６において、本発明のカード型電子チューナの電気回路は、高周波信号が入出力される信号入出力端子５１１と、この信号入出力端子５１１の信号が接続されるデュプレクサ５１２と、このデュプレクサ５１２の出力が一方の入力に供給されるとともに他方の入力には第１の局部発振器５１３の出力が接続された第１の混合器５１４と、この第１の混合器５１４の出力信号が接続される抽出手段５１５と、この抽出手段５１５の出力に接続されたローパスフィルタ（図示せず）と、このローパスフィルタの出力に接続されたＡ／Ｄ変換器５１６と、このＡ／Ｄ変換器５１６の出力に接続されたディジタル回路使用の復調器５１７と、この復調器５１７の出力に接続された誤り訂正回路５１８と、この誤り訂正回路５１８の出力に接続された出力端子５１９と、前記第１の局部発振器５１３の出力が一方の入力に接続されるとともにその出力は前記第１の局部発振器５１３の入力に接続される第１のＰＬＬ回路５２０と、この第１のＰＬＬ回路５２０にデータ信号が供給される第１のデータ入力端子５２１と、電源入力端子５２２と、この電源入力端子５２２と前記ＰＬＬ回路５２０との間に設けられたＤＣ−ＤＣコンバータ５２３と、送信信号の入力端子５２４と、この入力端子５２４に接続されたディジタル変調処理手段５２５と、このディジタル変調処理手段５２５の出力が一方の入力に接続されるとともに他方の入力には第２の局部発振器５２６の出力が接続された第２の混合器５２７と、この第２の混合器５２７の出力と前記デュプレクサ５１２の入力との間に接続された高周波増幅回路５２８と、前記第２の局部発振器５２６の出力が一方の入力に接続されるとともにその出力は前記第２の局部発振器５２６の入力に接続される第２のＰＬＬ回路５２９と、この第２のＰＬＬ回路５２９にデータ信号が供給される第２のデータ入力端子５３０とを有している。また、第２のＰＬＬ回路５２９には、ＤＣ−ＤＣコンバータ５２３の出力が接続されている。
【００８１】
そしてこれらの回路は、前記実施の形態と同じくケース１２２と同一のケースに収納されている。このことにより、本発明のカード型電子チューナをパーソナルコンピュータのハードウエアを改造することなく、メモリーカードのスロットへそのまま挿入することができる。
【００８２】
また、部品配置に関しては、第１の局部発振器５１３と第２の局部発振器５２６およびディジタル変調処理手段５２５と第２のＰＬＬ回路５２９との間のアイソレーションを良くして、お互いに妨害を与えないように配慮することが重要である。すなわち、実施の形態１の図５、図６、図８、図９、図１０と同様の考え方となる。
【００８３】
以上のように構成されたカード型電子チューナについて以下にその動作を説明する。
【００８４】
先ず、受信系について説明すると、信号入出力端子５１１に入力された高周波信号は、デュプレクサ５１２を通過して、混合器５１４と局部発振器５１３とで選局されて中間周波数になる。この中間周波数は実施の形態３で述べたように、抽出手段５１５と、Ａ／Ｄ変換器５１６と、ディジタル回路の復調器５１７でディジタル復調される。この復調信号は、その後、誤り訂正回路５１８で誤り訂正がなされる。この誤り訂正された信号は出力端子５１９からパーソナルコンピュータに向かって出力され、パーソナルコンピュータ内でディジタル処理がなされる。続いて送信系について述べる。送信信号の入力端子５２４に入力された信号は、ディジタル変調処理手段５２５で例えば（数３）の如くディジタル変調される。このディジタル変調された信号は、次の第２の混合器５２７と第２の局部発振器５２６で例えば略３００ＭＨｚの搬送波にのせられ高周波増幅器５２８で電力増幅される。そして、この高周波増幅器５２８の出力は、デュプレクサ５１２を通過して、信号入出力端子５１１に出力される。デュプレクサ５１２は送信系の信号が受信系へ回り込むのを防止するために挿入したものである。
【００８５】
このように、本発明のカード型電子チューナは、受信系に加えて送信系を有しているので双方のディジタル伝送が可能である。
【００８６】
次に回路配置について、図１７を用いて詳細に説明する。図１７において、ケース５３１（ケース５３１はケース１２２と同一の外形寸法である。）は、２分割されて送信系と受信系とが実装されている。ここで、受信系については実施の形態３と同様の考え方であるので送信系について述べる。
【００８７】
ケース５３１の一方の横側面５３２には送信信号の入力端子５２４と第２のデータ入力端子５３０が設けられている。そしてこれらの端子は、ケース５３１をメモリーカード挿入スロットへ挿入したとき、このスロットの奥に設けられたコネクタに嵌合し、パーソナルコンピュータとの信号のやりとりが行われる。また、この一方の横側面５３２に対向する他方の横側面５３３には信号入出力端子５１１が設けられている。そしてこの信号入出力端子５１１にはロッドアンテナ５３４が装着されている。また外部アンテナとケーブル接続してもよい。
【００８８】
このように、信号入出力端子５１１がカード型電子チューナのケース５３１の背面にあるので、高周波ディジタル信号を直接この信号入出力端子５１１に接続することができる。したがって、パーソナルコンピュータの内部に高周波信号を導入する必要はない。すなわち、パーソナルコンピュータのハードウエアを変更することなく、ディジタル放送等をパーソナルコンピュータで送受信することができる。また、ケース５３１の内部にはプリント基板５３５が装着されており、このプリント基板５３５は以下のように回路が配置されている。ここで、信号入出力端子５１１側近傍に内部アンテナ５３６を設けてもよい。更に、この信号入出力端子５１１近傍にデュプレクサ５１２と第２の混合器５２７と第２の局部発振器５２６がこの順に一方の横側面５３２に向かって設けられている。また、デュプレクサ５１２の出力は受信系の区画室５３７へ配線される。
【００８９】
ディジタル変調処理手段５２５は、金属製の仕切板５３９にかこまれて一方の縦側面５４０側に設けられており、横側面５３２側に設けられた送信信号入力端子５２４に隣接して設けられている。送信系と受信系は金属製の仕切板５４１で仕切られている。第２のＰＬＬ回路５２９は、金属製の仕切板５４２に仕切られて横側面５３２に設けられた第２のデータ入力端子５３０に隣接して設けられている。
【００９０】
即ち、ディジタル変調処理手段５２５は、第２のＰＬＬ回路５２９とは離れた位置に実装されるとともにその間は仕切板５３９・５４２で高周波的に絶縁されている。また、第２の局部発振器５２６と受信系内に実装された第１の局部発振器５１３も空間距離を設けるとともに仕切板５４１で高周波的に絶縁されている。
【００９１】
また、他の回路配置について、図１８を用いて説明する。図１８において、ケース５４５（ケース５４５はケース１２２と同一の外形寸法である。）は、金属製の仕切板５４６で２分割されて一方の縦側面５４７側に送信系が実装され、他方の縦側面５４８側に受信系が実装されている。ここで、受信系については実施の形態３と同様の考え方であるので送信系について述べる。
【００９２】
ケース５４５の一方の横側面５４９には、送信信号の入力端子５２４と第２のデータ入力端子５３０が設けられている。そしてこれらの端子は、ケース５４５をメモリーカード挿入スロットへ挿入したとき、このスロットの奥に設けられたコネクタに嵌合し、パーソナルコンピュータとの信号のやりとりが行われる。また、この一方の横側面５４９あるいはこの横側面５４９近傍の縦側面５４８に信号入出力端子５１１が設けられている。また信号入出力端子５１１は、横側面５４９にあってもよい。
【００９３】
また、ケース５４５の内部にはプリント基板５５０が装着されて、このプリント基板５５０は以下のように回路が配置されている。信号入出力端子５１１近傍にデュプレクサ５１２が設けられている。５１３は受信系内に設けられた第１の局部発振器である。５２７は第２の混合器であり、送信系内の他方の横側面５５１近傍に設けられている。第２の局部発振器５２６が一方の縦側面５４７側に設けられている。
【００９４】
ディジタル変調処理手段５２５は、金属製の仕切板５５２にかこまれて一方の縦側面５４７側に設けられ、横側面５４９側に設けられた送信信号入力端子５２４に隣接して設けられている。第２のＰＬＬ回路５２９は、金属製の仕切板５５３に仕切られて、横側面５４９に設けられた第２のデータ入力端子５３０に隣接するとともに、他方の縦側面５４８側に設けられている。
【００９５】
即ち、ディジタル変調処理手段５２５は、第２のＰＬＬ回路５２９とは離れた位置に実装されるとともにその間は仕切板５５２・５５３で高周波的に絶縁されている。また、第２の局部発振器５２６と受信系内に実装された第１の局部発振器５１３間は空間距離を設けるとともに仕切板５４６で高周波的に絶縁されている。
【００９６】
このように送信系・受信系を有したカード型電子チューナについて、以下にその使われ方の一例を示す。
【００９７】
図１９は、娯楽機として利用された例である。図１９において、５６０はパーソナルコンピュータであり、５６１はこのパーソナルコンピュータ５６０のメモリーカード挿入スロットに挿入された双方向カード型電子チューナである。外部からのディジタル放送波は、パーソナルコンピュータ５６０内に設けられたアンテナ５６０ａで受信される。この情報はパーソナルコンピュータ５６０のキーボード５６０ｂや表示部５６０ｃ等を用いて、画面分割したり、文字挿入したりして加工される。この加工情報は、カード型電子チューナの信号入出力端子５１１から有線あるいは無線でＶＴＲ５６２（この他に、ミニディスク：ＭＤ、ディジタルビデオディスク：ＤＶＤ等がある）のメモリースロットに挿入されたカード型電子チューナ５６３で受信されて記録される。また、このカード型電子チューナ５６１から出力される信号はプリンタ等でハードコピーすることもできるし、他のパーソナルコンピュータやＴＶに伝送することでその様子をモニタすることもできる。また、図１９ではスロット側と逆方向に送信出力がある場合を説明したが、送信出力をスロット側にしてパーソナルコンピュータ５６０内のアンテナ５６０ａより送信しても良い。
【００９８】
図２０は、ビジネスに利用された例である。図２０において、５７０はパーソナルコンピュータであり、外出先等で発生したビジネス情報の処理のためにパーソナルコンピュータ５７０に挿入された双方向カード型電子チューナ５７１を用いて、公衆電話５７２あるいは携帯電話５７３を本社のホストコンピュータと接続する例である。使い方としては、ホストコンピュータにあるデータを読み込んで、その場で見積りを提示し、商談が成立すれば即座にホストコンピュータに対し発注に基づく生産指令を出すといった具合である。
【００９９】
受信については、ディジタル携帯電話を用いる際、既にカード型チューナ内で混合器と局部発振器を有しているので、ブロック図に示すようにデュプレクサの出力へ接続すればよいが、ディジタル公衆電話を用いる際は、ベースバンドで送信されてくる場合があるため、その時はカード型チューナの混合器と局部発振器は不要となる。これらを勘案しカード型チューナにその混合器・局部発振器をスルーさせる切換えスイッチを設けることでディジタル携帯電話、ディジタル公衆電話の両方への対応が可能となる。また、カード型チューナ内の受信系のディジタル処理手段においては周波数・伝送量に応じ抽出手段あるいはＡ／Ｄ変換器の何れか一方を有するのみで足りる場合もある。
【０１００】
一方、送信については、カード型チューナのディジタル変調処理手段以降の混合器や局部発振器は内蔵していない。即ち、ディジタル携帯電話を用いる際はカード型チューナのディジタル変調処理手段の出力は、接続端子を介してディジタル携帯電話の送信系の混合器の入力に供給すれば良い。また、ディジタル公衆電話を用いた際は、ベースバンド送信の場合ならカード型チューナのディジタル変調処理手段からの出力を直接供給すればよい。
【０１０１】
なお、ディジタル公衆電話の回線がＩＳＤＮが導入されたところはプロトコルをあわせれば「０」「１」情報をそのまま入出力できるので、その場合については、カード型チューナはプロトコル処理手段を追加するとともに送信系・受信系ともスルーする切換えスイッチを設けてあれば対応できる。なお、送信系の回路増をふまえ５７４のように凸部を有する形であってもよい。
【０１０２】
図２１は、工場生産等に利用された例である。図２１において、５８０はパーソナルコンピュータであり、このパーソナルコンピュータ５８０から双方向カード型電子チューナ５８１を用いて、離れた場所にある工作機械５８２や計測機械５８３を制御するものである。そして、これらの工作機械５８２や計測機械５８３から得られた情報（例えば、歩留まり等）もこれらの機械内に挿入された双方向カード型電子チューナ５８４から得ることができる。この場合は送信・受信とも混合器と局部発振器を有する。
【０１０３】
【発明の効果】
以上のように本発明のカード型電子チューナによれば、高周波信号が入力される信号入出力端子と、この信号入力端子の出力が一方の入力に供給されるとともに他方の入力には局部発振器の出力が供給される第１の混合器と、この第１の混合器の出力信号が供給される出力端子と、前記局部発振器の出力が一方の入力に接続されるとともにその出力は前記局部発振器の入力に接続されるＰＬＬ回路と、このＰＬＬ回路にデータ信号が供給されるデータ入力端子と、前記第１の混合器と前記出力端子との間に抽出手段あるいはＡ／Ｄ変換器の少なくとも一つを有するディジタル信号処理手段とを設けた受信系と、送信信号の入力端子と、この送信信号の入力端子に接続されたディジタル変調処理手段と、このディジタル変調処理手段の出力信号が供給される第２の混合器と、この第２の混合器の出力信号が供給される高周波増幅回路と、この高周波増幅回路の出力が供給される送信信号の出力端子とを有した送信系と前記受信系とを共に凸部を有した同一のカード型のケース内に実装し、前記出力端子と前記第１のデータ入力端子と前記送信信号の入力端子とを前記ケースの一方の横側面に設け、この横側面に対向する他方の横側面には前記高周波信号が入力されるとともに前記送信信号が出力される信号入出力端子を設け、この信号入出力端子に接続されて前記高周波信号を前記信号入力端子に供給すると共に、前記送信系の送信信号の出力端子と接続されて前記送信信号を前記信号入出力端子へ供給するデュプレクサを設け、前記信号入出力端子の近傍には前記第１の混合器を配置した構成としているので、ディジタル放送をそのまま受信してパーソナルコンピュータ等へそのデータを取り込むことができる。
【０１０４】
また、このカード型電子チューナはカード形状をしているので、メモリーカードのスロットをそのまま使用することができ、パーソナルコンピュータ等のハードウエアを改造する必要はない。
【０１０５】
さらに、入力端子の近傍に混合器を配置しているので、信号入力端子から出力端子までの回路を短い距離で効率良く配置することができる。
【０１０６】
さらにまた、カード型のケースには凸部を有しているので、送信部などの回路増加へも容易に対応が可能である。
【図面の簡単な説明】
【図１】本発明の実施の形態３によるカード型電子チューナのブロック図
【図２】同、図１の回路配置図
【図３】同、他の例の回路配置図
【図４】本発明の実施の形態１によるカード型電子チューナのブロック図
【図５】同、図４の回路配置図
【図６】同、他の例の回路配置図
【図７】同、図４の外形斜視図
【図８】同、図７の断面図
【図９】同、図８の要部拡大断面図
【図１０】同、他の例を示す断面図
【図１１】（ａ）は同、１軸抽出手段の説明用のブロック図
（ｂ）は同、２軸抽出手段の説明用のブロック図
【図１２】本発明の実施の形態２によるカード型電子チューナのブロック図
【図１３】同、図１２の回路配置図
【図１４】同、他の例の回路配置図
【図１５】本発明の実施の形態４によるカード型電子チューナのブロック図
【図１６】本発明の実施の形態５によるカード型電子チューナのブロック図
【図１７】同、図１６の回路配置図
【図１８】同、他の例の回路配置図
【図１９】カード型電子チューナの娯楽への利用を示す説明図
【図２０】カード型電子チューナのビジネスへの利用を示す説明図
【図２１】カード型電子チューナの工場生産等への利用を示す説明図
【図２２】従来のカード型電子チューナのブロック図
【符号の説明】
３１１　信号入力端子
３１２　局部発振器
３１３　混合器
３１４　抽出手段
３１５　Ａ／Ｄ変換器
３１８　出力端子
３１９　ＰＬＬ回路
３２０　データ入力端子
３２３　ケース
３３８　ディジタル信号処理手段
【図１】
2004007629.tif 000007
【図２】
2004007629.tif 000008
【図３】
2004007629.tif 000009
【図４】
2004007629.tif 000010
【図５】
2004007629.tif 000011
【図６】
2004007629.tif 000012
【図７】
2004007629.tif 000013
【図８】
2004007629.tif 000014
【図９】
2004007629.tif 000015
【図１０】
2004007629.tif 000016
【図１１】
2004007629.tif 000017
【図１２】
2004007629.tif 000018
【図１３】
2004007629.tif 000019
【図１４】
2004007629.tif 000020
【図１５】
2004007629.tif 000021
【図１６】
2004007629.tif 000022
【図１７】
2004007629.tif 000023
【図１８】
2004007629.tif 000024
【図１９】
2004007629.tif 000025
【図２０】
2004007629.tif 000026
【図２１】
2004007629.tif 000027
【図２２】
2004007629.tif 000028